(57)【要約】      （修正有）【課題】エレベーター用ガイドレールへの油の塗布を容易に行うことができるエレベーターのハンディ注油機用アタッチメントを提供する。【解決手段】エレベーターのハンディ注油機用アタッチメント１４は、ハンディ注油機１３の注油口に対して着脱自在に設けられ、ハンディ注油機１３から油の供給を受ける基部１５と、基部１５に連結され、一対の側面用吐出部１７と先端面用吐出部１８とに分岐され、基部１５から油の供給を受け、一対の側面用吐出部１７の一方がエレベーター用ガイドレールの両側面の一方に接触し、一対の側面用吐出部１７の他方がエレベーター用ガイドレールの両側面の他方に接触し、先端面用吐出部１８がエレベーター用ガイドレールの先端面に接触した状態において、エレベーター用ガイドレールの両側面と先端面とに同時に油を塗布する塗布部１６と、を備えた。【選択図】図２
2020147407.tif 000002
【特許請求の範囲】
【請求項１】
ハンディ注油機の注油口に対して着脱自在に設けられ、ハンディ注油機から油の供給を受ける基部と、
前記基部に連結され、一対の側面用吐出部と先端面用吐出部とに分岐され、前記基部から油の供給を受け、前記一対の側面用吐出部の一方がエレベーター用ガイドレールの両側面の一方に接触し、前記一対の側面用吐出部の他方が前記エレベーター用ガイドレールの両側面の他方に接触し、前記先端面用吐出部が前記エレベーター用ガイドレールの先端面に接触した状態において、前記エレベーター用ガイドレールの両側面と先端面とに同時に油を塗布する塗布部と、
を備えたエレベーターのハンディ注油機用アタッチメント。
【請求項２】
前記一対の側面用吐出部のそれぞれの先端部において油が染み込むように設けられた一対の側面用染み込み部と、
前記先端面用吐出部の先端部において油が染み込むように設けられた先端面用染み込み部と、
を備えた請求項１に記載のエレベーターのハンディ注油機用アタッチメント。
【請求項３】
前記一対の側面用吐出部のそれぞれの先端部に設けられ、磁力を発生させる一対の側面用磁力発生部、
を備えた請求項１または請求項２に記載のエレベーターのハンディ注油機用アタッチメント。
【請求項４】
前記先端面用吐出部の先端部に設けられ、磁力を発生させる先端面用磁力発生部、
を備えた請求項３に記載のエレベーターのハンディ注油機用アタッチメント。
【請求項５】
前記一対の側面用吐出部のそれぞれの先端部は、可撓性を有し、
前記先端面用吐出部の先端部は、可撓性を有した請求項１から請求項４のいずれか一項に記載のエレベーターのハンディ注油機用アタッチメント。
【発明の詳細な説明】
【技術分野】
【０００１】
この発明は、エレベーターのガイドレールに油を塗布するハンディ注油機用アタッチメントに関する。
【背景技術】
【０００２】
特許文献１は、エレベーターのガイドレールを開示する。ガイドレールは、かごまたは釣合おもりを案内する。
【先行技術文献】
【特許文献】
【０００３】
【特許文献１】特開２０１８−２０３４９０号公報
【発明の概要】
【発明が解決しようとする課題】
【０００４】
しかしながら、特許文献１に記載のガイドレールにおいては、油が足りない箇所においては、ガイドシューとの接触により異音が発生する。このため、当該箇所に油を適宜塗布する必要がある。
【０００５】
この発明は、上述の課題を解決するためになされた。この発明の目的は、エレベーター用ガイドレールへの油の塗布を容易に行うことができるエレベーターのハンディ注油機用アタッチメントを提供することである。
【課題を解決するための手段】
【０００６】
この発明に係るエレベーターのハンディ注油機用アタッチメントは、ハンディ注油機の注油口に対して着脱自在に設けられ、ハンディ注油機から油の供給を受ける基部と、前記基部に連結され、一対の側面用吐出部と先端面用吐出部とに分岐され、前記基部から油の供給を受け、前記一対の側面用吐出部の一方がエレベーター用ガイドレールの両側面の一方に接触し、前記一対の側面用吐出部の他方が前記エレベーター用ガイドレールの両側面の他方に接触し、前記先端面用吐出部が前記エレベーター用ガイドレールの先端面に接触した状態において、前記エレベーター用ガイドレールの両側面と先端面とに同時に油を塗布する塗布部と、を備えた。
【発明の効果】
【０００７】
この発明によれば、塗布部は、エレベーター用ガイドレールの両側面と先端面とに同時に油を塗布する。このため、エレベーター用ガイドレールへの油の塗布を容易に行うことができる。
【図面の簡単な説明】
【０００８】
【図１】実施の形態１におけるエレベーターのハンディ注油機用アタッチメントが適用されるエレベーターの構成図である。
【図２】実施の形態１におけるエレベーターのハンディ注油機用アタッチメントが適用されるハンディ注油機の使用状態を示す平面図である。
【図３】実施の形態２におけるエレベーターのハンディ注油機用アタッチメントが適用されるハンディ注油機の使用状態を示す平面図である。
【図４】実施の形態３におけるエレベーターのハンディ注油機用アタッチメントが適用されるハンディ注油機の使用状態を示す平面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１におけるエレベーターのハンディ注油機用アタッチメントが適用されるエレベーターの構成図である。
【００１１】
図１のエレベーターにおいて、昇降路１は、図示されない建築物の各階を貫く。複数の乗場３の各々は、建築物の各階に設けられる。複数の乗場３の各々は、昇降路１に対向する。
【００１２】
一対のかご用ガイドレール４は、昇降路１の底部に固定される。一対のおもり用ガイドレール５は、昇降路１の底部に固定される。
【００１３】
巻上機６は、機械室２に設けられる。主ロープ７は、巻上機６に巻き掛けられる。
【００１４】
かご８は、昇降路１の内部に設けられる。かご８は、一対のかご用ガイドレール４に案内される。かご８は、主ロープ７の一側に支持される。釣合おもり９は、昇降路１の内部に設けられる。釣合おもり９は、一対のおもり用ガイドレール５に案内される。釣合おもり９は、主ロープ７の他側に支持される。
【００１５】
かご用給油器１０は、かご８に設けられる。かご用給油器１０は、かご８の昇降に応じてかご用ガイドレール４に油を塗布し得るように設けられる。おもり用給油器１１は、釣合おもり９に設けられる。おもり用給油器１１は、釣合おもり９の昇降に応じておもり用ガイドレール５に油を塗布し得るように設けられる。
【００１６】
制御装置１２は、機械室２に設けられる。制御装置１２は、エレベーターを全体的に制御し得るように設けられる。
【００１７】
エレベーターの保守作業時において、作業員は、かご８の天井に乗って図示されない手動スイッチを操作してかご８の移動および停止を繰り返しながら一対のかご用ガイドレール４および一対のおもり用ガイドレール５を点検する。具体的には、作業員は、かご８が停止した状態において一対のかご用ガイドレール４および一対のおもり用ガイドレール５を触って油の塗布状態を点検する。一対のかご用ガイドレール４および一対のおもり用ガイドレール５において油の少ない箇所がある場合、作業員は、ハンディ注油機１３で当該箇所に油を塗布する。
【００１８】
次に、図２を用いて、ハンディ注油機１３を説明する。
図２は実施の形態１におけるエレベーターのハンディ注油機用アタッチメントが適用されるハンディ注油機の使用状態を示す平面図である。
【００１９】
図２に示されるように、ハンディ注油機１３は、本体１３ａと蓋体１３ｂとを備える。
【００２０】
本体１３ａは、油を貯蔵し得るように設けられる。蓋体１３ｂは、本体１３ａの開口部に対して着脱自在に設けられる。蓋体１３ｂは、注油口を備える。注油口は、本体１３ａが押された際に油を外部に流出させ得るように設けられる。
【００２１】
アタッチメント１４は、蓋体１３ｂの注油口に対して着脱自在に設けられる。具体的には、基部１５と塗布部１６とを備える。
【００２２】
基部１５は、蓋体１３ｂの注油口に対して着脱自在に設けられる。基部１５は、ハンディ注油機１３から油の供給を受け得るように設けられる。
【００２３】
塗布部１６は、一対の側面用吐出部１７と先端面用吐出部１８とに分岐される。一対の側面用吐出部１７の一方は、基部１５から左側に曲がるように円弧状に形成される。一対の側面用吐出部１７の他方は、基部１５から右側に曲がるように円弧状に形成される。先端面は、基部１５から一直線状に形成される。一対の側面用吐出部１７と先端面用吐出部１８とは、基部１５から油の供給を受け得るように設けられる。
【００２４】
一対の側面用吐出部１７の一方は、かご用ガイドレール４の両側面の一方に接触するように配置される。一対の側面用吐出部１７の他方は、かご用ガイドレール４の両側面の他方に接触するように配置される。先端面用吐出部１８は、かご用ガイドレール４の先端面に接触するように配置される。
【００２５】
この状態において、ハンディ注油機１３の本体１３ａが押されると、基部１５は、ハンディ注油機１３から油の供給を受け付ける。一対の側面用吐出部１７と先端面用吐出部１８とは、基部１５から油の供給を受けて同時に油を吐出する。その結果、かご用ガイドレール４の両側面と先端面とには、油が同時に塗布される。
【００２６】
以上で説明した実施の形態１によれば、塗布部１６は、かご用ガイドレール４の両側面と先端面とに同時に油を塗布する。このため、かご用ガイドレール４への油の塗布を容易に行うことができる。
【００２７】
なお、一対の側面用吐出部１７のそれぞれの先端部と先端面用吐出部１８の先端部とに可撓性を持たせてもよい。例えば、一対の側面用吐出部１７のそれぞれの先端部と先端面用吐出部１８の先端部とを蛇腹状に形成してもよい。この場合、かご用ガイドレール４のサイズに応じて、一対の側面用吐出部１７のそれぞれの先端部と先端面用吐出部１８の先端部とが変形することで、かご用ガイドレール４の両側面と先端面とに同時に油を塗布することができる。
【００２８】
また、基部１５の少なくとも一部に可撓性を持たせてもよい。例えば、基部１５の少なくとも一部を蛇腹状に形成してもよい。この場合、作業員とかご用ガイドレール４との位置関係に応じて基部１５の少なくとも一部が変形することで、かご用ガイドレール４の両側面と先端面とに同時に油を塗布することができる。
【００２９】
また、一対の側面用吐出部１７のそれぞれを先端面用吐出部１８よりも太くしてもよい。この場合、一対の側面用吐出部１７のそれぞれへの油の供給量は、先端面用吐出部１８への油の供給量よりも多い。その結果、より多くの油を必要とするかご用ガイドレール４の一対の側面により多くの油を塗布することができる。
【００３０】
実施の形態２．
図３は実施の形態２におけるエレベーターのハンディ注油機用アタッチメントが適用されるハンディ注油機の使用状態を示す平面図である。なお、実施の形態１の部分と同一又は相当部分には同一符号が付される。当該部分の説明は省略される。
【００３１】
実施の形態２のアタッチメント１４は、一対の側面用染み込み部１９と先端面用染み込み部２０とを備える。
【００３２】
一対の側面用染み込み部１９は、一対の側面用吐出部１７のそれぞれの先端部に設けられる。一対の側面用染み込み部１９は、油が染み込むように設けられる。先端面用染み込み部２０は、先端面用吐出部１８の先端部に設けられる。先端面用染み込み部２０は、油が染み込むように設けられる。
【００３３】
以上で説明した実施の形態２によれば、一対の側面用染み込み部１９は、油が染み込むように設けられる。先端面用染み込み部２０は、油が染み込むように設けられる。このため、かご用ガイドレール４の両側面と先端面とに油が同時に塗布される際、油が必要以上に塗布されることを抑制できる。
【００３４】
実施の形態３．
図４は実施の形態３におけるエレベーターのハンディ注油機用アタッチメントが適用されるハンディ注油機の使用状態を示す平面図である。なお、実施の形態２の部分と同一又は相当部分には同一符号が付される。当該部分の説明は省略される。
【００３５】
実施の形態３のアタッチメント１４は、一対の側面用磁力発生部２１と先端面用磁力発生部２２とを備える。
【００３６】
一対の側面用磁力発生部２１は、一対の側面用吐出部１７のそれぞれの先端部に設けられる。一対の側面用染み込み部１９は、磁力を発生させる磁石等で形成される。先端面用磁力発生部２２は、先端面用吐出部１８の先端部に設けられる。先端面用磁力発生部２２は、磁力を発生させる磁石等で形成される。
【００３７】
以上で説明した実施の形態３によれば、一対の側面用磁力発生部２１は、磁力を発生させる。このため、かご用ガイドレール４の両側面と先端面とに油が同時に塗布される際、一対の側面用磁力発生部２１は、磁力によりかご用ガイドレール４に接触した状態を維持する。その結果、ハンディ注油機１３の落下を抑制できる。
【００３８】
先端面用磁力発生部２２は、磁力を発生させる。このため、かご用ガイドレール４の両側面と先端面とに油が同時に塗布される際、先端面用磁力発生部２２は、磁力によりかご用ガイドレール４に接触した状態を維持する。その結果、ハンディ注油機１３の落下をより確実に抑制できる。
【００３９】
実施の形態１から実施の形態３のハンディ注油機１３とアタッチメント１４とをおもり用ガイドレール５に適用してもよい。この場合、おもり用ガイドレール５への油の塗布を容易に行うことができる。
【符号の説明】
【００４０】
１  昇降路、  ３  乗場、  ４  かご用ガイドレール、  ５  おもり用ガイドレール、  ６  巻上機、  ７  主ロープ、  ８  かご、  ９  釣合おもり、  １０  かご用給油器、  １１  おもり用給油器、  １２  制御装置、  １３  ハンディ注油機、  １３ａ  本体、  １３ｂ  蓋体、  １４  アタッチメント、  １５  基部、  １６  塗布部、  １７  側面用吐出部、  １８  先端面用吐出部、  １９  側面用染み込み部、  ２０  先端面用染み込み部、  ２１  側面用磁力発生部、  ２２  先端面用磁力発生部
【図１】
2020147407.tif 000003
【図２】
2020147407.tif 000004
【図３】
2020147407.tif 000005
【図４】
2020147407.tif 000006